(57)【特許請求の範囲】
【請求項１】
床面上に左右方向に離間して設置される複数の脚体と、
該脚体の上部間に架設された天板と、
該脚体の上部同士を連結するとともに、前記天板の下面を支持する連結部材とを備えるデスク装置であって、
前記連結部材は、平面視して前記天板の前後方向中央部に配設され、
前記脚体の前記前後方向の端部近傍と前記連結部材とをそれぞれ補強杆にて連結するとともに、前記補強杆上面が前記天板下面を支持することによって、該デスク装置における左右方向中間部の前記天板下面にオプション取付用空間を形成したことを特徴とするデスク装置。
【請求項２】
請求項１に記載のデスク装置において、
前記連結部材は、前記前後方向に第一空間部を形成するように離間して配設される一対のもので構成され、
前記天板は、前記一対の連結部材上に前記前後方向に第二空間部を形成するように離間して配設された一対のもので構成され、
前記第一空間部及び前記第二空間部は、連通されて配線挿通空間とされていることを特徴とするデスク装置。
【請求項３】
請求項１または請求項２に記載のデスク装置において、
前記補強杆は、前記脚体の前後方向の端部近傍から前記連結部材側面に向かうにしたがって内方に向かって傾斜する第一補強部を有することを特徴とするデスク装置。
【請求項４】
請求項３に記載のデスク装置において、
前記補強杆は、前記脚体と並行するように前記第一補強部の端部から前記デスク装置の中央部に向かって延在する第二補強部を有することを特徴とするデスク装置。
【発明の詳細な説明】
【技術分野】
【０００１】
本発明は、デスク装置に関するものである。
【背景技術】
【０００２】
従来より、会社や事務所等の執務空間においては、左右方向に離間して設置される複数の脚体と、該脚体の上部間に架設され、左右方向に幅広な天板とを備えるデスク装置が広く知られている。
このようなデスク装置の構成としては、天板の前後方向中央部よりも前方及び後方の位置で脚体間に横架されるとともに、天板を支持する横架部材が複数設けられるものが採用されている（下記特許文献１及び２参照）。この構成では、これら複数の横架部材が天板の幅方向に沿って配設されることにより、天板を強固に支持することが可能となる。
【０００３】
また、このような幅広のデスク装置によれば、複数の執務者が、前後に対面するとともに左右方向に所定の間隔を有して着座し、天板を共有して執務をすることが可能となる。このように一のデスクを複数の執務者で共有する場合と、一人サイズのデスクを人数分配設する場合とを比較すると、前者の方がコストを抑えることができるというメリットがあった。
また、このような幅広のデスク装置は、個人用のデスクを設けずに執務者が任意の席で着座する所謂フリーアドレススタイルのデスクとして好適である。
【先行技術文献】
【特許文献】
【０００４】
【特許文献１】特許第４３４７６２３号公報
【特許文献２】特開２００８−２７９２１２号公報
【発明の概要】
【発明が解決しようとする課題】
【０００５】
しかしながら、上記の特許文献１及び２に記載のデスク装置において、例えばペントレー抽斗やパソコンのハードディスクを載置するための吊り下げ棚等のオプション部材を天板の下面に設けようとすると、該オプション部材と複数の横架部材とが干渉するためにオプション部材を設けることができないという問題点があった。
【０００６】
また、フリーアドレススタイルでは、執務者は筆記具等の個人用所有物をワゴン等に収容し、該ワゴンをデスクの近辺に移動させて執務をする形態がとられることがある。ここで、該ワゴンを天板の下方に配設しようとした際に、ワゴンの上部と横架部材とが干渉するためにワゴンを天板の下方に配設できない場合があり、ワゴンの高さ寸法に制限が必要になるという問題点もあった。
【０００７】
本発明は、上記事情に鑑みてなされたものであり、天板の下面にオプション部材の取り付けを可能とするとともに、什器としての強度も十分確保することができるデスク装置を提供するものである。
【課題を解決するための手段】
【０００８】
上記目的を達成するために、本発明は以下の手段を採用している。
すなわち、本発明に係るデスク装置は、床面上に左右方向に離間して設置される複数の脚体と、該脚体の上部間に架設された天板と、該脚体の上部同士を連結するとともに、前記天板の下面を支持する連結部材とを備えるデスク装置であって、前記連結部材は、平面視して前記天板の前後方向中央部に配設され、前記脚体の前記前後方向の端部近傍と前記連結部材とをそれぞれ補強杆にて連結するとともに、前記補強杆上面が前記天板下面を支持することによって、該デスク装置における左右方向中間部の前記天板下面にオプション取付用空間を形成したことを特徴とする。
【０００９】
このようなデスク装置では、天板の下面において連結部材が設けられる前後方向中央部以外の箇所には他の部材が配設されない。よって、天板の下面における左右方向中間部をオプション取付用空間として構成して、オプションの取り付けを可能とすることができる。
また、補強杆が脚体と連結部材とを連結するとともに、補強杆上面が天板を支持するため、デスク装置としての強度を確保することができる。
【００１０】
また、本発明に係るデスク装置は、前記連結部材は、前記前後方向に第一空間部を形成するように離間して配設される一対のもので構成され、前記天板は、前記一対の連結部材上に前記前後方向に第二空間部を形成するように離間して配設された一対のもので構成され、前記第一空間部及び前記第二空間部は、連通されて配線挿通空間とされていることを特徴とする。
【００１１】
この構成によれば、上下方向に連通して第一空間部及び第二空間部が形成されるため、該空間内に配線を収容することができるため、執務者の使い勝手を良好とすることができ、天板上面の体裁を良好とすることができる。
【００１２】
さらに、本発明に係るデスク装置は、前記補強杆は、前記脚体の前後方向の端部近傍から前記連結部材側面に向かうにしたがって内方に向かって傾斜する第一補強部を有することが好ましい。
【００１３】
これにより、天板の下方にオプション部材を配設する場合には、第一補強部が配設する際のガイドとなるため、執務者の使い勝手を良好とすることができる。
【００１４】
また、本発明に係るデスク装置は、前記補強杆は、前記脚体と並行するように前記第一補強部の端部から前記デスク装置の中央部に向かって延在する第二補強部を有することを特徴とする。
【００１５】
この構成では、第二補強部が脚体と並行して延在するため、天板の左右方向中間部のオプション取付用空間を広く確保することができる。
また、第一補強部及び第二補強部を介して脚体と連結部材とを強固に結合することができるため、デスク装置の強度を確実に確保することができる。
【発明の効果】
【００１６】
本発明に係るデスクサイド装置によれば、天板の下面にオプション部材の取り付けを可能とするとともに、什器としての強度も十分確保することができる。
【図面の簡単な説明】
【００１７】
【図１】本発明の一実施形態に係るデスク装置を備えたデスクシステムの概略全体図である。
【図２】本発明の第一実施形態に係るデスク装置を脚体と、天板と、連結部材と、補強杆とに分解した分解斜視図である。
【図３】本発明の第一実施形態に係るデスク装置の（ａ）平面図、（ｂ）正面図である。
【図４】本発明の第一実施形態に係るデスク装置の脚体、連結部材及び補強杆の構成を示す拡大分解斜視図である。
【図５】本発明の第一実施形態に係るデスク装置の要部を示す斜視図である。
【図６】本発明の第一実施形態に係るデスク装置の要部を下方から見た斜視図である。
【図７】本発明の第二実施形態に係るデスク装置の要部を示す斜視図である。
【図８】本発明の第三実施形態に係るデスク装置の要部を示す斜視図である。
【発明を実施するための形態】
【００１８】
（第一実施形態）
以下、本発明の第一実施形態に係るデスク装置を備えたデスクシステムについて説明する。
図１は、デスク装置２を備えたデスクシステム１の概略全体図である。
デスクシステム１は、図１に示すように、上面を作業面とされて幅広なデスク装置２と、該デスク装置２の前方に配設された椅子９１と、デスク装置２の下方に配設されたデスクサイド什器１０１とを備えている。
なお、図１に示すように、デスク装置２の左右方向をＡ−Ｂ方向、デスク装置２の前後方向をＣ−Ｄ方向とする。
【００１９】
図２に示すように、デスク装置２は、床面Ｆ上にＡ−Ｂ方向に離間して設置される複数の脚体１０と、脚体１０の上部に設けられた補強杆３０と、脚体１０の上部同士を連結する一対の連結部材６０と、該脚体１０の上部間に架設された一対の天板７１と、一対の連結部材６０及び一対の天板７１間に配設された配線部８１とを備えている。
【００２０】
脚体１０は、門型に構成されデスク装置２のＡ−Ｂ方向両端部に配設された一対の第一脚体１１と、Ｔ字状に構成されデスク装置２のＡ−Ｂ方向途中部分に配設された一対の第二脚体２１とを有している。
【００２１】
第一脚体１１は、床面Ｆ上から立設されるとともにＣ−Ｄ方向に離間して配設された一対の第一脚本体１２と、該一対の第一脚本体１２の上部を連結する第一連結体１３とを有している。図１に示すように、第一連結体１３の上面は天板７１の下面を支持している。また、図３に示すように、一対の第一脚本体１２の上端は、第一連結体１３の端部及び補強杆３０の端部とともにそれぞれ第一角部材１９で連結固定されている。
【００２２】
図２に示すように、第二脚体２１は、床面Ｆ上から立設された第二脚本体２２と、該第二脚本体２２の上部からＣ−Ｄ方向に延在する第二連結体２３とを有しており、第二連結体２３の上面は天板７１の下面を支持している。
【００２３】
図３に示すように、補強杆３０は、Ｃ側の第一角部材１９、Ｄ側の第一角部材１９にそれぞれ設けられ、該補強杆３０の上面は天板７１の下面を支持している。
補強杆３０は、第一角部材１９に固定され斜材の第一補強部３１と、該第一補強部３１の端部から第一脚体１１の第一連結体１３に並行に延在する第二補強部４１と、該第二補強部４１の端部から第一連結体１３に向かって延在する第三補強部５１とを有している。図４に示すように、第一補強部３１及び第二補強部４１は鋼板をプレス加工等により角パイプ状に形成したものであり、第三補強部５１は鋼板を所定の形状に加工したものである。
【００２４】
図３に示すように、第一補強部３１は、第一角部材１９の端部から連結部材６０の側面に向かうにしたがって内方に向かって傾斜して配設されている。また、第一補強部３１の上面には天板７１取付用の第一取付孔部３２が設けられている。
【００２５】
第二補強部４１は、第一補強部３１の端部からデスク装置２の中央部に向かって、換言するとＣ−Ｄ方向に延在している。また、第二補強部４１の上面には天板７１取付用の第二取付孔部４２がＣ-Ｄ方向に間隔を有して２個設けられている。
【００２６】
図４に示すように、第三補強部５１は、第二補強部４１と第一脚体１１の第一連結体１３とを連結し、底部５２と、該底部５２から立設し第二補強部４１の端面に沿って配設される第一側壁部５３と、該第一側壁部５３と対向する第二側壁部５４と、第一側壁部５３の上部から第二補強部４１の上面と沿うように配設される上壁部５５とを有している。
底部５２は、第二補強部４１の下面に連続するようにＡ−Ｂ方向に沿って配設され、連結部材６０取り付け用の取付孔部５６がＡ−Ｂ方向に間隔を有して２個設けられている。
第一側壁部５３は、底部５２の一方の側部から第二補強部４１の端面に沿って、第二補強部４１の上面まで立設している。
第二側壁部５４は、底部５２の他方の側部から立設するともに、その長さは第一側壁部５３よりも小とされている。
上壁部５５は、第一側壁部５３の上部から第一連結体１３と第二補強部４１との間にわたって配されている。また、上壁部５５の上面には天板７１取付用の第三取付孔部５７が設けられている。
【００２７】
図２及び図５に示すように、連結部材６０は、Ａ−Ｂ方向に延在する長尺状に形成され、Ｃ-Ｄ方向に第一空間部６１を形成するように離間して配設された一対構成のものであり、Ａ−Ｂ方向に３組並設されるとともに、平面視して天板７１のＣ-Ｄ方向略中央部に配設されている。また、連結部材６０の上面は、天板７１の下面を支持している。
図４に示すように、連結部材６０は、その先端を第一連結体１３に当接させ、その側面を第三補強部５１の第一側壁部５３と第二側壁部５４に沿うように配設されている。連結部材６０の先端には第一連結体１３との連結用の第一連結孔部６２が３個設けられ、連結部材６０の底面には第三補強部５１の底部５２との連結用の第二連結孔部６３が２個設けられ、連結部材６０の第二側壁部５４側の側面には略矩形の開口部６４が設けられている。ここで、第一連結体１３取り付け用の第一ビス６５が該開口部６４から連結部材６０の内部に挿入され第一連結孔部６２に挿通されて、第一連結体１３に設けられた連結孔部１４に螺着されることにより、連結部材６０と第一連結体１３とが緊締されている。また、第二ビス６６が、第三補強部５１の下方から取付孔部５６及び第二連結孔部６３に挿通されて、第三補強部５１と連結部材６０とが緊締されている。このように、第一脚体１１と連結部材６０とは、補強杆３０にて連結されている。
【００２８】
図２に示すように、天板７１は、上面が床面Ｆと平行な作業面とされ、平面視して略矩形状に形成され、Ｃ-Ｄ方向に第二空間部７２を形成するように離間して配設された一対構成のものであり、Ａ−Ｂ方向に３組並設されている。
また、図１に示すように、天板７１の下面には、箱状に形成されペン等の筆記用具が収容可能なペントレー７３が設けられている。該ペントレー７３はその側面に設けられたレール（不図示。以下同じ。）に沿って、Ｃ−Ｄ方向に出し入れ可能とされている。
また、天板７１の上面には、その上面のＣ−Ｄ方向の略中央にＡ−Ｂ方向に延在する天板用仕切板７４が設けられている。該天板用仕切板７４は、例えばアクリル樹脂等の半透明樹脂から形成されている。
【００２９】
図２に示すように、配線部８１は、第一空間部６１及び第二空間部７２により形成される配線挿通空間８２と、該配線挿通空間８２に配設される配線受け８３と、該配線受け８３を上方から覆う配線カバー部８６とを有している。
配線挿通空間８２は、第一空間部６１及び第二空間部７２が上下方向に連通して形成されている。
配線受け８３は、底面を形成する配線底部８４と、該配線底部８４の両側部から立設する配線側壁部８５とを有している。また、図６に示すように、配線受け８３は、配線側壁部８５を連結部材６０の側面に当接されるように、配線挿通空間８２の内部に配設されている。
【００３０】
なお、図１に示すように、デスク装置２の天板７１の上面には、内部に物品収納部１２１を有し、下部に支持脚１２２が設けられた箱体１２０が複数配設されている。
【００３１】
椅子９１は、床面Ｆ上に設置され移動可能とされた椅子用キャスター９６が設けられた椅子用脚部９２と、該椅子用脚部９２の上部に設けられ着座可能な座部９３と、該座部９３の端部より立設する背もたれ部９４と、座部９３の側方に配設された肘掛部９５とを有している。
また、椅子９１は、デスク装置２のＣ方向側及びＤ方向側に、それぞれ３個ずつ計６個配設されている。
このようなデスク装置２及び椅子９１では、デスク装置２のＣ側、Ｄ側にそれぞれ３人の執務者をＡ−Ｂ方向に所定の間隔を有して椅子９１に着座可能とし、天板７１を共有して執務可能としている。
【００３２】
デスクサイド什器１０１は、床面Ｆ上に載置された箱状のベース体１０２      と、該ベース体１０２の上方に載置され物品の収容可能な箱状の上部収納体１０３と、該ベース体１０２の上方であって上部収納体１０３と隣接載置され着座可能な腰掛部１０４とを備えている。
【００３３】
このように構成されたデスク装置２では、天板７１の下面において、Ｃ−Ｄ方向中央部に連結部材６０が配設されるのみで、他の部材が配設されていない。よって、天板７１下面におけるＡ−Ｂ方向中間部をオプション取付用空間１１１として構成することができる。
ここで、第二補強部４１は天板７１の下方に配設されているもののＣ−Ｄ方向に配設されているため、天板７１下面におけるＡ−Ｂ方向のオプション取付用空間１１１を広く確保することができる。
【００３４】
前記オプション取付用空間１１１には、例えばペントレー７３等のオプション部材を取り付けることができる。また、図１に示すようにデスクサイド什器１０１を、その上部収納体１０３とデスク装置２の下部とを干渉させることなく配設することができる。
【００３５】
また、補強杆３０が第一脚体１１と連結部材６０とを連結し、補強杆３０の上面、第一脚体１１の上面及び連結部材６０の上面がそれぞれ天板７１の下面を支持するため、デスク装置２としての強度を確保することができる。また、第一補強部３１は第一脚体１１のＣ-Ｄ方向の端部から延在しているため、デスク装置２のＣ−Ｄ方向端部近傍における上下方向に作用する力を第一連結体１３及び第一補強部３１で確実に負担することができる。
また、第一補強部３１が第一脚体１１の端部から延在しているので、デスク装置２全体構成としてのねじれ剛性を高めることができる。
【００３６】
また、天板７１上に電子機器を載置した場合には、該電子機器の配線を配線挿通空間８２内に配設された配線受け８３に収容することができるため、執務者の使い勝手を良好とすることができる。また、天板７１の上面に配線がまたがって露出することがないため、体裁を良好とすることができる。
【００３７】
また、デスクサイド什器１０１を天板７１の下方に配設する場合には、補強杆３０の第一補強部３１は、Ａ−Ｂ方向内方に向かうにしたがってＣ−Ｄ方向内方に向かうように配設されているため、該第一補強部３１がデスクサイド什器１０１の配設経路のガイドの役割を担う。よって、デスクサイド什器１０１を天板７１の下方に円滑に配設でき、執務者の使い勝手を良好とすることができる。
【００３８】
（第二実施形態）
以下、本発明の第二実施形態に係るデスク装置２０２について、図７を用いて説明する。
この実施形態において、前述した実施形態で用いた部材と共通の部材には同一の符号を付して、その説明を省略する。
【００３９】
第一実施形態におけるデスク装置２において補強杆３０は、斜材の第一補強部３１と、第一連結体１３に平行な第二補強部４１と、連結部材６０に沿う第三補強部５１とから構成されていた。一方、本実施形態において補強杆２３０は、斜材の第一補強部２３１と、連結部材６０に沿う第二補強部２４１とから構成されている。
【００４０】
すなわち、第一補強部２３１は、その一端が第一角部材１９に固定されて、連結部材６０の側面に向かうにしたがって内方に向かって傾斜して配設されており、他端が連結部材６０の側面に固定されている。
第二補強部２４１は、その一端が第一補強部２３１の他端に固定されて、連結部材６０の側面に沿って配設されており、他端が第一連結体１３の側面に固定されているとともに、該第二補強部２４１の側面は連結部材６０に固定されている。
【００４１】
このように構成されたデスク装置２０２では、第一補強部２３１が第一脚体１１と連結され、第一補強部２３１と連結された第二補強部２４１が連結部材６０と連結されているため、該補強杆２３０、第一脚体１１及び連結部材６０とが一体となって天板７１を支持するため、デスク装置２０２としての強度を確実に確保することができる。
【００４２】
（第三実施形態）
以下、本発明の第三実施形態に係るデスク装置３０２について、図８を用いて説明する。
この実施形態において、前述した実施形態で用いた部材と共通の部材には同一の符号を付して、その説明を省略する。
【００４３】
第一実施形態におけるデスク装置２において補強杆３０は、斜材の第一補強部３１と、第一連結体１３に平行な第二補強部４１と、連結部材６０に沿う第三補強部５１とから構成されていた。一方、本実施形態において補強杆３３０は、連結部材６０に平行な第一補強部３３１と、第一連結体１３に平行な第二補強部３４１と、連結部材６０に沿う第三補強部３５１とから構成されている。
【００４４】
すなわち、第一補強部３３１は、その一端が第一角部材１９に固定されて、天板７１のＣ−Ｄ方向の端部に沿って連結部材６０に平行に配設されている。
第二補強部３４１は、その一端が第一補強部３３１の他端に固定されて、第一連結体１３に平行に配設されており、他端が連結部材６０の側面に固定されている。
第三補強部３５１は、その一端が第二補強部３４１の他端に固定されて、連結部材６０の側面に沿って配設されており、他端が第一連結体１３の側面に固定されているとともに、該第三補強部３５１の側面は連結部材６０に固定されている。
【００４５】
このように構成されたデスク装置３０２では、第一補強部３３１が第一脚体１１と連結され、第一補強部３３１と連結された第二補強部３４１が連結部材６０と連結されている。よって、該補強杆３３０、第一脚体１１及び連結部材６０とが一体となって天板７１を支持するため、デスク装置３０２としての強度を確実に確保することができる。
また、第一補強部３３１が天板７１の端部に沿って配設されているため、天板７１の端部近辺の強度を強化することができる。
【００４６】
また、上述した実施の形態において示した動作手順、あるいは各構成部材の諸形状や組み合わせ等は一例であって、本発明の主旨から逸脱しない範囲において設計要求等に基づき種々変更可能である。
【００４７】
例えば、本実施形態では、補強杆３０，２３０，３３０は第一脚体１１に設けられていたが、第二脚体２１に設ける構成としてもよい。この場合は、デスク装置２，２０２，３０２のＡ−Ｂ方向の中央部においても、該デスク装置２，２０２，３０２の強度を一層強化することができる。
【００４８】
また、本実施形態では、脚体１０の上面、連結部材６０の上面及び補強杆３０，２３０，３３０上面によって天板７１の下面を支持しているが、脚体１０の上面、連結部材６０の上面及び補強杆３０，２３０，３３０の上面のいずれかによって天板７１の下面を支持する構成としてもよい。
【符号の説明】
【００４９】
２，２０２，３０２…デスク装置
１０…      脚体
３０，２３０，３３０…補強杆
３１，２３１，３３１…第一補強部
４１，２４１，３４１…第二補強部
６０…連結部材
６１…第一空間部
７１…天板
７２…第二空間部
８２…      配線挿通空間
１１１…オプション取付用空間
Ｆ…床面
Ａ−Ｂ方向…左右方向
Ｃ−Ｄ方向…前後方向
【図１】
0005957203.tif 000002
【図２】
0005957203.tif 000003
【図３】
0005957203.tif 000004
【図４】
0005957203.tif 000005
【図５】
0005957203.tif 000006
【図６】
0005957203.tif 000007
【図７】
0005957203.tif 000008
【図８】
0005957203.tif 000009